(57)【要約】【課題】小型のガストーチを用いてモイスチャを発生することができる簡易型モイスチャ発生装置を提供する。【解決手段】燃料が封入されたガスボンベと、該ガスボンベと接続され、炎を発生させるためのバーナ本体であって、前記燃料に対して点火するための点火装置を作動させるためのトリガと、前記炎を噴出させる中空筒状の炎噴出筒６とを含むバーナ本体と、前記炎噴出筒６の軸線に沿って配設された中空筒状の延長筒４と、該延長筒４の周壁９内に形成され、水８を収容するための収容室７と、該収容室７内の水を前記延長筒４内に供給するための水供給手段１１，１３とを備えた。【選択図】図２
2011169545.tif 000002
【特許請求の範囲】
【請求項１】
燃料が封入されたガスボンベと、
該ガスボンベと接続され、炎を発生させるためのバーナ本体であって、
前記燃料に対して点火するための点火装置を作動させるためのトリガと、
前記炎を噴出させる中空筒状の炎噴出筒とを含むバーナ本体と、
前記炎噴出筒の軸線に沿って連続して配設され、前記炎噴出筒を延長する中空筒状の延長筒と、
該延長筒の周壁内に形成され、水を収容するための収容室と、
該収容室内の水を前記延長筒内に供給するための水供給手段とを備えたことを特徴とする簡易型モイスチャ発生装置。
【請求項２】
前記水供給手段は、前記収容室内から前記周壁の内側壁を貫通し、前記延長筒の軸線方向に延びる線材と、
前記内側壁と前記線材との間に形成され、前記水が通過可能な隙間とを有することを特徴とする請求項１に記載の簡易型モイスチャ発生装置。
【請求項３】
前記収容室は前記周壁内の全域に形成され、
前記線材は、前記内側壁に対向する位置にある内側壁を貫通していることを特徴とする請求項２に記載の簡易型モイスチャ発生装置。
【請求項４】
前記線材は、前記延長筒の軸線に直交方向に複数本平行に配設され、線材ユニットを形成していることを特徴とする請求項３に記載の簡易型モイスチャ発生装置。
【請求項５】
前記線材は、複数本交差して網状に配設され、線材ユニットを形成していることを特徴とする請求項３に記載の簡易型モイスチャ発生装置。
【請求項６】
前記線材ユニットは、前記延長筒の軸線方向に複数個並んで配設されていることを特徴とする請求項４又は５に記載の簡易型モイスチャ発生装置。
【発明の詳細な説明】
【技術分野】
【０００１】
本発明は、簡易型モイスチャ発生装置に関するものである。
【背景技術】
【０００２】
ガストーチが特許文献１に開示されている。このようなガストーチは、一般的に炎を発生させるものである。特に特許文献１のようなガストーチは、小型であり、取扱い性がよいものであるが、モイスチャを発生させることはできない。
【先行技術文献】
【特許文献】
【０００３】
【特許文献１】実用新案登録第２５９９２１６号公報
【発明の概要】
【発明が解決しようとする課題】
【０００４】
本発明は、上記従来技術を考慮したものであって、小型のガストーチを用いてモイスチャを発生することができる簡易型モイスチャ発生装置を提供することを目的とする。
【課題を解決するための手段】
【０００５】
前記目的を達成するため、請求項１の発明では、燃料が封入されたガスボンベと、該ガスボンベと接続され、炎を発生させるためのバーナ本体であって、前記燃料に対して点火するための点火装置を作動させるためのトリガと、前記炎を噴出させる中空筒状の炎噴出筒とを含むバーナ本体と、前記炎噴出筒の軸線に沿って連続して配設され、前記炎噴出筒を延長する中空筒状の延長筒と、該延長筒の周壁内に形成され、水を収容するための収容室と、該収容室内の水を前記延長筒内に供給するための水供給手段とを備えたことを特徴とする簡易型モイスチャ発生装置を提供する。
【０００６】
請求項２の発明では、請求項１の発明において、前記水供給手段は、前記収容室内から前記周壁の内側壁を貫通し、前記延長筒の軸線方向に延びる線材と、前記内側壁と前記線材との間に形成され、前記水が通過可能な隙間とを有することを特徴としている。
請求項３の発明では、請求項２の発明において、前記収容室は前記周壁内の全域に形成され、前記線材は、前記内側壁に対向する位置にある内側壁を貫通していることを特徴としている。
【０００７】
請求項４の発明では、請求項３の発明において、前記線材は、前記延長筒の軸線に直交方向に複数本平行に配設され、線材ユニットを形成していることを特徴としている。
請求項５の発明では、請求項３の発明において、前記線材は、複数本交差して網状に配設され、線材ユニットを形成していることを特徴としている。
請求項６の発明では、請求項４又は５の発明において、前記線材ユニットは、前記延長筒の軸線方向に複数個並んで配設されていることを特徴としている。
【発明の効果】
【０００８】
請求項１の発明によれば、水供給手段にて延長筒内に水を供給し、これがバーナ本体からの炎で蒸発され、炎を低温化し、モイスチャとなる。したがって、水の蒸発潜熱の高さを利用して高温の炎を簡便に温度低下させることができ、さらに水の蒸発によるモイスチャを利用して殺菌、消毒、乾燥、調理を行うことができる。
請求項２の発明によれば、収容室内に収容された水が隙間を通って線材を伝い、これがバーナ本体からの炎で蒸発され、モイスチャを発生する。したがって、水の蒸発潜熱の高さを利用して高温の炎を簡便に温度低下させることができ、さらに水の蒸発によるモイスチャを利用して殺菌、消毒、乾燥、調理を行うことができる。
【０００９】
請求項３の発明によれば、線材は、内側壁に対向する位置にある内側壁を貫通しているため、その両端部が内側壁で保持される。したがって、線材を安定して保持することができる。
請求項４の発明によれば、線材は、延長筒の軸線に直交方向に複数本平行に配設され、線材ユニットを形成しているため、蒸発する水の量を増やしてモイスチャの発生量を増加させることができる。
【００１０】
請求項５の発明によれば、線材は、複数本交差して網状に配設され、線材ユニットを形成しているため、蒸発する水の量を増やしてモイスチャの発生量を増加させることができる。
請求項６の発明によれば、線材ユニットは、延長筒の軸線方向に複数個並んで配設されているため、蒸発する水の量をさらに増やしてモイスチャの発生量をさらに増加させることができる。
【図面の簡単な説明】
【００１１】
【図１】本発明に係る簡易型モイスチャ発生装置の概略図である。
【図２】本発明に係る簡易型モイスチャ発生装置の延長筒の付近を示す概略断面図である。
【図３】線材の配置例を示す概略図である。
【図４】線材の配置例を示す概略図である。
【図５】線材の配置例を示す概略図である。
【図６】線材ユニットの配置例を示す概略図である。
【発明を実施するための形態】
【００１２】
図１は本発明に係る簡易型モイスチャ発生装置の概略図であり、図２は本発明に係る簡易型モイスチャ発生装置の延長筒の付近を示す概略断面図である。
図示したように、本発明に係る簡易型モイスチャ発生装置１は、ガスボンベ２と、バーナ本体３と、延長筒４で構成されている。ガスボンベ２は、液化燃料が封入されている。バーナ本体３には、ガスボンベ２の液化燃料が気化した燃料に対して点火するための点火装置（不図示）が備わり、この点火装置を作動させるためのトリガ５が備わっている。したがって、トリガ５を引くと、燃料が点火され、中空筒状の炎噴出筒６から炎１２が噴出する。
【００１３】
延長筒４は、炎噴出筒６と同様に中空筒状であり、炎噴出筒６の軸線に沿って配設されている。延長筒４の周壁９はその全域が中空に形成され、収容室７が形成されている。収容室７には、水８が収容されている。水８は、キャップ１６を取り外して注水口１７から注水される。なお、収容室７は後述する線材１１の端部を配置していれば、周壁９の全域に設けなくてもよい。周壁９の内側壁１０を貫通し、線材１１が備わっている。図２を参照すれば、線材１１は、その端部が収容室７内にあり、一方の内側壁１０ａを貫通して延長筒４の軸線方向に延び、さらに対向する内側壁１０ｂを貫通して他方の端部が収容室７内に位置している。このように、線材１１の両端が対向する内側壁１０ａ、１０ｂをそれぞれ貫通しているので、線材１１は安定して保持される。なお、線材１１は一方の端部のみが内側壁１０ａを貫通する構造とし、他方の端部をフリーとしてもよい。内側壁１０ａと線材１１との間には、水８が通過可能な隙間１３が形成されている。なお、隙間１３は、線材１１と水８との表面張力でのみ８水が通過可能な間隔が好ましい。上記線材１１と隙間１３が延長筒４内に水を供給するための水供給手段となる。
【００１４】
これにより、収容室７内に収容された水８が自重又は毛細管現象により隙間１３を通って線材１１を伝い（図２の矢印方向）、これがバーナ本体３からの炎１２で蒸発され、モイスチャ１４を発生する。したがって、水８の蒸発潜熱の高さを利用して高温の炎１２を簡便に温度低下させることができ、さらに水８の蒸発によるモイスチャ１４を利用して殺菌、消毒、乾燥、調理を行うことができる。すなわち、ガスバーナ（ガストーチ）が炎発生装置としてだけでなくモイスチャ発生装置としても利用できることになる。
【００１５】
線材１１は、図３に示すように十字に交差させたり、あるいは図４に示すように延長筒４の軸線に直交方向に平行に複数本（図では３本）配設させたり、あるいは図５に示すように複数本交差させて網状に配設してもよい。このように複数本の線材１１を用いて線材ユニット１５を形成することにより、線材１１を伝う水の量が増えるので、蒸発する水の量を増やしてモイスチャの発生量を増加させることができる。なお、図３〜図５では隙間１３は省略している。
【００１６】
また、図６に示すように、線材ユニット１５は、延長筒４の軸線方向に複数個（図では２個）並べて配設してもよい。これにより、蒸発する水の量をさらに増やしてモイスチャの発生量をさらに増加させることができる。
【００１７】
上記効果は延長筒４内に収容室７内の水を供給できれば、得ることができる。したがって、水供給手段として、上述した構成の他、超音波振動子や空気圧による微粒子化装置を用いてもよい。これらで収容室７内の水を延長筒４内に供給してもよい。具体的には、収容室７内に超音波振動子が配設され、当該超音波振動子を振動させ、周壁９の内表面に設けた微細な孔から前記超音波振動子で粒子化した水を延長筒４内に供給する。この粒子化した水が炎１２を低温化させ、上記効果を得ることができる。同様の構成で、収容室７内に空気圧を加圧できる装置を接続し、収容室７内の水を加圧することで微粒子化し、これを周壁９の内表面に設けた微細な孔から延長筒４内に供給してもよい。
【符号の説明】
【００１８】
１  簡易型モイスチャ発生装置
２  ガスボンベ
３  バーナ本体
４  延長筒
５  トリガ
６  炎噴出筒
７  収容室
８  水
９  周壁
１０  内側壁
１１  線材
１２  炎
１３  隙間
１４  モイスチャ
１５  線材ユニット
１６  キャップ
１７  注水口
【図１】
2011169545.tif 000003
【図２】
2011169545.tif 000004
【図３】
2011169545.tif 000005
【図４】
2011169545.tif 000006
【図５】
2011169545.tif 000007
【図６】
2011169545.tif 000008